(57)【要約】【課題】  初心者や不馴れな者でも簡単かつ失敗なく最適な弦長を求めることができるギター、ベースギター等の弦楽器の弦張設用テンプレートを提供する。【解決手段】  ギター、ベースギター等の弦楽器のヘッド部に取り付けられるペグに弦を巻着するときに、適正な弦長を求めるために使用されるものであって、上記ペグのポストに嵌合される少なくとも１種類以上の嵌合孔と、該嵌合孔から延び出るように直線的に表示された指標線と、該指標線上に表示された巻き回数を示す目印とを備え、上記嵌合孔の種類として、ギターのよこ孔付きポストに適合する嵌合孔と、ギターのたて孔付きポストに適合する嵌合孔と、異なる太さのペグのポストをもつベースギターに個別に適合する３種類の嵌合孔を少なくとも備えていることを特徴とする。【選択図】        図１
0003131642.tif 000002
【実用新案登録請求の範囲】
【請求項１】
ギター、ベースギター等の弦楽器のヘッド部に設けられたペグに弦を巻着する場合に適正な弦長を求めるために使用されるものであって、上記ペグのポストに嵌合される少なくとも１種類以上の嵌合孔と、該嵌合孔から延び出るように直線的に表示された指標線と、該指標線上に表示された巻き回数を示す目印とを備えたことを特徴とする弦楽器の弦張設用テンプレート。
【請求項２】
前記嵌合孔として、ギターヘッド部に装備するペグのポストに適合する嵌合孔と、ベースギターヘッド部に装備するペグのポストに適合する嵌合孔とを備えてなる請求項１記載の弦楽器の弦張設用テンプレート。
【請求項３】
前記嵌合孔として、よこ孔付きポストに適合する嵌合孔と、たて孔付きポストに適合する嵌合孔とを備えてなる請求項１又は２記載の弦楽器の弦張設用テンプレート。
【請求項４】
前記嵌合孔として、異なる太さのペグのポストをもつベースギターに個別に適合する２種類以上の大きさの嵌合孔を備えてなる請求項１、２又は３記載の弦張設用テンプレート。
【請求項５】
前記嵌合孔は、丸孔若しくは略Ｕ字形状の切込み孔である請求項１、２、３、又は４記載の弦楽器の弦張設用テンプレート。
【考案の詳細な説明】
【技術分野】
【０００１】
本考案は、ギター、ベースギター等の弦楽器の弦を張り替えたり、新規に弦を張るときに使用する弦張設用のテンプレートに関する。
【０００２】
なお、本明細書中で単に「ギター」と記しているものは、ベースギター以外のエレクトリックギター（電気ギター）やフォークギター等を意味するものとする。
【背景技術】
【０００３】
弦を固定し音程調整をするためのペグ（糸巻き）をヘッド部に備えた弦楽器、たとえばエレクトリックギター、エレクトリックベースギター、フォークギター等では、弦を新規に張設したり、張り替える作業が必要である。
【０００４】
これら弦張設作業は、手馴れた人は自分で行い、初心者や不馴れな人は専門家に依頼する。
【０００５】
この弦張設作業は、通常は弦を個々の弦楽器に合う最適な弦の長さ（最適弦長）を定め、その余剰の長さ分（余剰端）を勘と経験により切り落として最適弦長とし、その後にペグのポスト（ペグシャフトともいう）に巻着する。
【０００６】
また、最適弦長とするために、巻尺等を使用して弦の長さを測る人もいるが、これは非常に煩雑であり、測り間違いによる失敗も生じる。
【０００７】
しかも、最適弦長とする作業は、ペグのポスト（シャフト）に何回巻きとにするかにもよるが、
するかにもよるが、演奏者の好みで加減されるもので、不安定な要素を多く含んでいる。
【０００８】
また、敢えて述べるまでもないが、初心者には最適弦長を探り当てことは容易なことではなかった。
【考案の開示】
【考案が解決しようとする課題】
【０００９】
本考案は、上記したような弦の張設作業の現状に鑑み、初心者や不馴れな人でも簡単かつ失敗なく最適弦長を求めることができる新規の弦張設用テンプレートを提供することを目的とするものである。
【課題を解決するための手段】
【００１０】
上記課題を達成するために、本考案は、ギター、ベースギター等の弦楽器のヘッド部に取付けられたペグに弦を巻着する際に、適正な弦長を求めるために使用される弦張設用のテンプレートであって、上記上記ペグのポストに嵌合される少なくとも１種類以上の嵌合孔と、該嵌合孔から延び出るように直線的に表示された指標線と、該指標線上に表示された巻き回数を示す目印とを備えているものである。
【００１１】
また、上記嵌合孔の種類として、ギターのヘッド部に装備されたペグのポストに適合する嵌合孔と、ベースギターのヘッド部に装備されたペグのポストに適合する嵌合孔とを備えたものであり、また上記嵌合孔として、ギターのよこ孔付きポストに適合する嵌合孔と、ギターのたて孔付きポストに適合する嵌合孔とを備えたものであり、さらに上記嵌合孔の種類として、異なる太さのポストをもつベースギターに個別に適合する２種類以上の大きさの嵌合孔を備えたものであり、さらに該嵌合孔は、丸孔若しくは略Ｕ字形状の切込み形孔にしたものである。
【考案の効果】
【００１２】
請求項１に記載の考案は、上記ポストに嵌合される少なくとも１種類以上の嵌合孔と、該嵌合孔から延び出るように直線的に表示された指標線と、該指標線上に表示された巻き回数を示す目印とを備えているので、上記嵌合孔に上記ポストを嵌め込んだのち、弦を指標線等指標線に沿った状態にすると共に、この状態で所望の目印のところで摘んで若しくはニッパー等で切離してから、該摘んだところ若しくは切離した端部を上記ポストまで戻し、そして、この戻した位置で弦を巻き取り始めるというような簡易な作業で弦張設作業が可能になる。これにより、初心者や不馴れな者は専門家に依頼する必要がなくなる。また、余剰な長さ分（余剰端）を勘と経験等により切り落してからポストへの巻きつけるという、不確実になってしまい勝ちな従前の弦張設作業を改善できる。さらに、ギターに装備されている全部の弦の巻き回数の選定を、目印を使って統一することが容易になるから、音に微妙に影響する、ポストごとの巻き量に不揃いができてしまうというような問題を解消できる。さらには、目測や、定規で長さを測って余剰端部分を切り落とすという上記方法におけるような、不安定な要素や煩瑣さ等が原因で起きていた、測り間違いによる失敗等を回避できる。しかも、上記嵌合孔の選択を間違わない限り、基準点（嵌合孔の位置）から目印までの距離、すなわち上記戻し量に大きな誤差が生じる虞れがないから、弦張設作業も確信をもって行うことができる。
【００１３】
請求項２に記載の考案は、上記嵌合孔として、ギターに装備されたペグのポストに適合する嵌合孔とベースギターに装備されたペグのポストに適合する嵌合孔とを備えているので、請求項１の考案に記載の効果に加え、ギターと、ベースギターとに兼用でき、これら両方を所有する人には好都合であり、かつ便利である。
【００１４】
請求項３に記載の考案は、上記嵌合孔として、よこ孔付きポストに適合する嵌合孔と、たて孔付きポストに適合する嵌合孔とを備えたことを特徴とするので、請求項１または２の考案に記載の効果に加え、よこ孔付きポストをもつギターと、たて孔付きポストをもつギターとに兼用でき、これら両方を所有する人には好都合であり、かつ便利である。
【００１５】
請求項４に記載の考案は、２種類以上のベースギターのポストに個別に適合する２種類以上の大きさの嵌合孔を備えたことを特徴とするので、請求項１〜３の各考案に記載の効果に加え、２種類以上のベースギターに兼用でき、これらベースギターを所有する人には好都合であり、かつ便利である。
【００１６】
請求項５に記載の考案によれば、上記嵌合孔は、丸孔若しくは略Ｕ字形状の切込み形孔としてあるので、横方向からポストに嵌めることができ、容易に着脱できる便利さがある。
【考案を実施するための最良の形態】
【００１７】
以下、図１に基づいて、本考案の第１実施の形態に係る弦張設用テンプレート１を説明する。
【００１８】
この弦張設用テンプレート１は、均一厚の透明な撓曲性を備えた例えば０.５ｍｍ厚の合成樹脂の薄板材製プレート本体２からなり、例えば２４０×８０ｍｍの長方形状に形成されている。なお、厚さ、大きさ、形は任意に変更できる。また、プレート本体２は、無色透明でも、有色半透明でも、あるいは不透明であってもよいし、他の材質、例えばアルミニウム、ステンレス等の金属、厚紙、強靭紙等の紙、あるいは木材、繊維材であってもよい。また、プレート本体２は、撓曲性を備えていない材料で実施することもできる。なお、プレート本体２は、上記のように透明（又は半透明）とすれば、ペグが存在するギターヘッド部分を透視確認しながら弦張設作業を行うことができるので有効である。
【００１９】
上記プレート本体２は、その一方の短辺の内側に位置する同辺と平行する線上個所には、よこ孔４a付きポスト５aを有するペグ６aを備えるエレクトリックギターのヘッド部７aの弦張設に用いる第１嵌合孔８と、たて孔４b付きポスト５bを有するペグ６bを備えるエレクトリックギター７bの弦張設に用いる第２嵌合孔９と、細径ポストを有するペグを備えるベースギター（図示せず）の弦張設に用いる第３嵌合孔１０と、中太ポストを有するペグを備えるベースギター（図示せず）の弦張設に用いる第４嵌合孔１１と、太径ポスト５cを有するペグ６cを備えるベースギター７cの弦張設に用いる第５嵌合孔１２が、上記列記順に並んだ一列配置で開設されている。これら各嵌合孔８〜１２は、誤差を最小限とするため、対応するポストに嵌合したときに自由に抜き差しが可能である限りなるべく遊びがない大きさとすることが望ましい。
【００２０】
この実施の形態における上記各嵌合孔８〜１２の大きさは、例えば第１及び第２の嵌合孔８，９が各直径６.５ｍｍ、第３の嵌合孔１０が直径９ｍｍ、第４の嵌合孔１１が直径１１ｍｍ、第５の嵌合孔１２が直径１４ｍｍにされている。これら嵌合孔の直径寸法は、ペグのメーカーやその型式等より異なるものであるから、誤差を発生しないようにするため、これらメーカーやその型式等に適合するようにされる。
【００２１】
また、上記プレート本体２において、第１〜第５の嵌合孔８〜１２の中心を通る同プレート本体２の長辺と平行する線上個所には、第１〜第５の指標線１３〜１７が平行に表示されている。
【００２２】
さらに、上記プレート本体２の第１〜第５の指標線１３〜１７上には、該第１〜第５の嵌合孔８〜１２に挿入嵌合される各ポストへの弦の巻き数に見合う巻き回数を示す「１」〜「５」若しくは「１」〜「４」の数字が目印１８〜２２として表示されている。
【００２３】
上記目印１８〜２２は、次のように設けられている。例えば、第１の指標線１３には、上記交点から２３ｍｍの場所に１回巻にされる場合の目印１８として「１」が表示され、そこから１９ｍｍ離れた場所に２回巻にされる場合の目印１９として「２」が表示され、そして該目印１９から１９ｍｍ離れるごとに３〜５回巻される場合の目印２０〜２２が付されている。同様にして第２の指標線１４〜第５の指標線１７にも目印１８〜２２若しくは１８〜２１が付されている。これら弦の巻き回数を示す目印の間隔を表にすると、図２の通りである。
【００２４】
上記第１実施の形態に係る弦張設用テンプレート１は、例えばよこ孔４a付きポスト５aを有するペグ６aを備えるエレクトリックギター７aの弦張設を行う場合には、図３(a)(b)に示すように使用される。
【００２５】
先ず、スチール（鋼線）製の弦２４aをブリッジ（図示せず）に通してからポスト５aのよこ孔４aに通し、その後に、本考案の弦張設用テンプレート１に設けてある第１嵌合孔８を上記ポスト５aに嵌め込み、この状態で巻き取りたい回数の位置、例えば３回巻きを希望するのであれば、目印２０で弦２４aを摘まむ（図３(a)参照）。このとき、目印２０位置の弦２４a部分をあらかじめ親指の爪先で上方へ折り曲げておき、後でカットするときの目印としておくとよい。
【００２６】
次に、この弦２４aの摘まみ状態を維持したまま、上記弦張設用テンプレート１を外してから、摘んでいる手指をポスト５aのところまで移動させて、スチール弦２４aを戻す（図３(b)参照）。そして、この戻した位置で弦２４aを巻き取り始める。この場合、戻した長さ分がポスト５aに巻くスチール弦２４の長さとなる。
【００２７】
そして、特にスチール弦２４の場合には、ポスト５に半回転程度巻き取り始めれば、弦２４はポスト５の回動により、よこ孔４aの挿通口の口縁で強制的に折り曲げられて曲がりくせが付き、該よこ孔４aからは容易には抜け出すことがないので、この段階で弦２４の上記の折り曲げたカット位置の目印部分ではさみやニッパ等で切断する。
【００２８】
その後に、カット後の弦２４aの端末部分を摘んで引っ張りながら弦２４aをポスト５に巻着すれば、所定の例えばポスト５aへの弦２４aの３回巻きが簡単に完了するのである。
【００２９】
また、上記第１実施の形態に係る弦張設用テンプレート１において、たて孔４b付きポスト５bを有するペグ６bを備えたエレクトリックギター７bに弦２４bの巻着張設を行う場合には、図４(a)(b)に示すように使用される。
【００３０】
すなわち、先ず本考案の弦張設用テンプレート本体２に設けてある第２嵌合孔９をポスト５bに嵌め込んだ後、弦２４bをブリッジ（図示せず）に通してから該弦２４bを本考案の弦張設用テンプレート１の所定の指標線１４上にあてがう（図４(a)参照）。このあてがった状態において、弦２４bを巻き取りたい回数の目印のところでニッパー２５等によりカットする（図４(b)参照）。
【００３１】
その後、上記弦張設用テンプレート１を外してから、弦２４bの切断端をたて孔４bに差し込み、該たて孔４bが底部に形成された割り溝部分に弦２４bを通してからポスト５b外周面に該弦２４bを巻き取り始める。この場合、ニッパー２５等でカットされる直前まで、上記弦張設用テンプレート１における嵌合孔から目印までの間の上に存していた分、すなわち戻し分がポスト５bに巻く長さになる。
【００３２】
また、上記第１実施の形態に係る弦張設用テンプレート１は、たて孔４c付き太径ポスト５cを有するペグ６cを備えるベースギターのヘッド部７cへの弦張設を行う場合には、図５に示すように使用される。
【００３３】
すなわち、先ず本考案の弦張設用テンプレート１に設けてある第５嵌合孔１２を太径ポスト５cに嵌め込んだのち、弦２４cをブリッジ（図示せず）に通してから、該弦２４cを本考案の弦張設用テンプレート１の指標線１７上にあてがうと共に、このあてがった状態で巻き取りたい回数の位置で弦２４cをニッパー２５等でカットする（図５参照）。その後、上記弦張設用テンプレート１を外し、弦２４cをたて孔４cに差し込んで巻き取り始める。この場合、ニッパー２５等でカットされる直前まで上記弦張設用テンプレート１における嵌合孔から目印までの間の上に存していた分、すなわち戻し分がポスト５cに巻く長さになる。
【００３４】
なお、本考案の弦張設用テンプレート１は、細径ポストを有するペグを備えるベースギター（図示せず）の弦張設、又は中太ポストを有するペグを備えるベースギター（図示せず）の弦張設に用いる場合には、第３嵌合孔１０に細径ポストを嵌め、又は第４嵌合孔１１に中太ポストを嵌めて行えばよい。
【００３５】
このようにポストの太さに合わせて第１〜５の嵌合孔８〜１２を選択してこれに弦を巻くことができ、使い分けができるから、そのメリットは大きい。
【００３６】
次に、図６に基づいて、本考案の第２実施の形態に係る弦張設用テンプレート２６を説明する。
【００３７】
この第２実施の形態に係る弦張設用テンプレート２６は、上記第１実施の形態に係る弦張設用テンプレート１における第１嵌合孔８の縁を切除し、該孔８の形状をテンプレート２６の側縁から略Ｕ字状の切込み形孔に形成してオープン型の第１嵌合孔８aにした点が、第１実施の形態に係る弦張設用テンプレート１と異なっているものである。その他の部分は同様であるからその説明は同一の符号を付けて省略する。
【００３８】
この第２実施の形態に係る弦張設用テンプレート２６によれば、ポスト５aと第１嵌合孔８aとの嵌めこみ操作は、ポスト５aのよこ孔４aに弦２４aを通す操作の前でも後でも可能になる。前に行ったときには、図３(a)に示すように、弦２４aが弦張設用テンプレート２６の下になり、後に行うときには上にも下にもできることになる。したがって、上記エレクトリックギター７aの弦張設を行うときには、弦２４aを手指で摘まむタイミングをユーザー自身が自由に選択できる。
【００３９】
上記第１、第２実施の形態に係る弦張設用テンプレート１、２６は、上記のように、嵌合孔の種類として、ギターヘッド部のよこ孔付きポストに適合する一つの嵌合孔８と、ギターヘッド部のたて孔付きポストに適合する一つの嵌合孔９と、ベースギターヘッド部のポストに個別に適合する３種類の嵌合孔１０〜１２とを備えた構成にされているので、上記各嵌合孔８〜１２に適合したポストをもつギター、ベースギター等の弦楽器であれば、これら各弦楽器の弦張設作業に全て対応できるから、多種類のギターやベースギター等の弦楽器を所有する人や取り扱うところには有利である。
【００４０】
本考案は、上記第１および第２実施の形態では、上記嵌合孔の種類として、ギターヘッド部に設けたペグのよこ孔付きポストに適合する嵌合孔と、ギターのペグのたて孔付きポストに適合する嵌合孔と、ベースギターのポストに個別に適合する嵌合孔とを備えた構成にしてあるが、例えばギターのペグのポストに適合する一つの嵌合孔と、ベースギターのペグのポストに適合する一つの嵌合孔とを組み合わせた構成、或いは他の任意な組み合わせた構成とすることもできる。
【００４１】
また、一つの嵌合孔とこれに関連する指標線および目印をもつ、一つのギター専用として、あるいは一つのベースギター専用タイプとすることもできる。また、上記実施の形態では、プレート本体の形を長方形状としたが、それ以外の興趣ある特徴的な形にすることもできる。また、上記指標線１３〜１７は、一本の直線としたが、方向を示す機能をもつものであれば足りるから柄や彫刻等であっても可能である。また、弦の巻き回数を示す目印は、数字で示したが、判別機能をもつものであればよいから数字以外の柄や彫刻等であってもよい。これら指標線、目印及びプレート本体は、夜光性・蓄光性を備えた、暗いところでも使用可能な構成にすることができる。
【００４２】
更にまた、左右両端部の嵌合孔８、１２はいずれも略Ｕ字形の切込み孔としてもよい。この場合、入り口を狭くして外れ難くするようにしてもよい。
【図面の簡単な説明】
【００４３】
【図１】第１実施の形態を示すテンプレート全体の平面図である。
【図２】弦の巻き回数を示す目印の間隔を示す表である。
【図３】第１実施の形態例の使用状態を示す斜視図である。
【図４】別の使用状態を示す斜視図である。
【図５】さらに別の使用状態を示す斜視図である。
【図６】第２実施の形態を示すテンプレート全体の平面図である。
【符号の説明】
【００４４】
１  第１実施の形態に係る弦張設用テンプレート
２  プレート本体
４a  よこ孔
４b  たて孔
４c  たて孔
５a、５b、５c  ポスト（ぺグシャフト）
６a、６b、６c  ペグ（糸巻き）
７a、７b  エレクトリックギターのヘッド部
７c  ベースギターのヘッド部
８〜１２  嵌合孔
１３〜１７  指標線
１８〜２２  目印
２４a、２４b、２４c  弦
２５  ニッパー
２６  第２実施の形態に係る弦張設用テンプレート
【図１】
0003131642.tif 000003
【図２】
0003131642.tif 000004
【図３】
0003131642.tif 000005
【図４】
0003131642.tif 000006
【図５】
0003131642.tif 000007
【図６】
0003131642.tif 000008